(57)【要約】【課題】            ある排気送風機の停止によっても住居全体の総排気量はこれを確保し、換気雰囲気の悪化を回避できる換気システムを得る。【解決手段】        給気および排気による常時換気を可能に構成された複数のエリアを有する住居の換気システムについて、複数のエリアのうちの特定のエリアである浴室４に設置された排気送風機１２を停止させたとき、給気についてはここを経由して行われる浴室４に隣接する他のエリアである洗面所５に設置された排気送風機１２の排気量を増加させ、住居全体としての総排気量を確保するように排気送風機１２を制御する制御装置を備える。【選択図】          図１
2005164183.tif 000002
【特許請求の範囲】
【請求項１】
給気および排気による常時換気を可能に構成された複数のエリアを有する住居の換気システムであって、複数の前記エリアのうちの少なくとも一つのエリアに設置された排気手段を停止させたとき、他のエリアに設置された排気手段の排気量を増加させ、前記住居全体としての総排気量を確保するように前記排気手段を制御する制御手段を有する換気システム。
【請求項２】
給気および排気による常時換気を可能に構成された複数のエリアを有する住居の換気システムであって、複数の前記エリアのうちの特定のエリアに設置された排気手段を停止させたとき、給気についてはここを経由して行われる前記特定のエリアに隣接する他のエリアに設置された排気手段の排気量を増加させ、前記住居全体としての総排気量を確保するように前記排気手段を制御する制御手段を有する換気システム。
【請求項３】
請求項２に記載の換気システムであって、特定のエリアには暖房手段があり、制御手段は、この暖房手段の動作中は、そのエリアの排気手段を停止させ、隣接するエリアの排気手段の排気量を増加させ、前記暖房手段の停止により、所定時間の間、特定のエリアの排気手段の停止を継続し、隣接するエリアの排気手段については通常の排気量で運転させる制御動作を行う換気システム。
【請求項４】
請求項２又は請求項３のいずれかに記載の換気システムであって、特定のエリアが浴室であり、隣接するエリアが洗面所である換気システム。
【請求項５】
請求項１〜請求項４までのいずれかに記載の換気システムを具備した換気機能付き住居。
【発明の詳細な説明】
【技術分野】
【０００１】
本発明は、給排気による常時換気を行う住居の換気システム及び換気機能付き住居に関するものである。
【背景技術】
【０００２】
高気密住居では常時換気を行う必要があり、常時換気を行う換気システムが開発されている。この換気システムは、住居全体における排気を浴室やトイレ等から行い、住居における給気を居間などから行うようになっている。即ち、住居全体において空気の汚れにくいゾーンから汚れ易いゾーンへと空気の流れを形成し、住居全体の換気を行うものである。なお、この種の従来技術としては、特許文献１に開示されているものがある。
【０００３】
【特許文献１】特開平９−４８９０号公報
【発明の開示】
【発明が解決しようとする課題】
【０００４】
従来の換気システムは、特定の排気送風機の風量を一定風量とし、これと連動して他の排気送風機も一定風量となる制御が行われ、住居全体を定風量で換気するものである。従って、例えば、浴室や洗面所においては入浴時にも排気による換気がなされていて、冬季ではコールドドラフトにより入浴時に肌寒さを感じるといった問題点がある。こうした問題を解消するために、浴室に暖房装置を設置したものもある。暖房装置を設置した場合、冬季における入浴に際し、入浴前に浴室を暖房装置の運転により予備暖房する使い方が一般的に行われている。そしてこの場合、暖房装置の運転中は、浴室の排気送風機については停止させるようにして暖房効果を上げている。ところが、予備暖房後に入浴することになるが、排気送風機は、運転を再開しており、換気に伴う空気の流れによる肌寒さを感じることがある。また、暖房装置の運転時間が長い場合、排気送風機の停止時間も長くなり、住居全体の総排気量が減少し、住居の換気雰囲気が悪化するという問題点がある。
【０００５】
本発明は、上記した従来の問題点を解決するためになされたもので、その課題とするところは、ある排気手段の停止によっても住居全体の総排気量はこれを確保し、換気雰囲気の悪化を回避できる換気システムを得ることであり、住居全体の総排気量を確保したうえで浴室等の温熱環境の改善を図ることができる簡易な換気システムを得ることであり、また、その換気システムを具備した換気機能付き住居を提供することである。
【課題を解決するための手段】
【０００６】
上記課題を解決するために本発明は、給気および排気による常時換気を可能に構成された複数のエリアを有する住居の換気システムについて、複数のエリアのうちの少なくとも一つのエリアに設置された排気手段を停止させたとき、他のエリアに設置された排気手段の排気量を増加させ、住居全体としての総排気量を確保するように排気手段を制御する制御手段を備える手段を採用する。
【０００７】
また、他の発明は、給気および排気による常時換気を可能に構成された複数のエリアを有する住居の換気システムについて、複数のエリアのうちの特定のエリアに設置された排気手段を停止させたとき、給気についてはここを経由して行われる特定のエリアに隣接する他のエリアに設置された排気手段の排気量を増加させ、住居全体としての総排気量を確保するように排気手段を制御する制御手段を備える手段を採用する。
【発明の効果】
【０００８】
上記手段を採用することにより、例えば、あるエリアの暖房のために当該エリアに設置された排気手段を停止させても、他のエリアの排気手段が住居全体としての総排気量を確保すべく排気量を増加させるので、住居全体の換気雰囲気の悪化は回避することができる。また、給気について上流側となる隣接したエリアの排気手段の排気量を特定のエリアの排気手段の停止時には増加させるため、住居全体の換気流の流れが乱れず円滑な換気が行われる。
【発明を実施するための最良の形態】
【０００９】
本発明の換気システムは、給気および排気による常時換気を可能に構成された複数のエリアを有する住居に適用されるものである。この換気機能付き住居は、複数のエリアを持っている。ここで言うエリアとは、寝室、子供部屋、リビング、浴室、洗面所、トイレなどの他、廊下や階段部分も含む仕切られた空間を指している。これらのエリアのうちの特定のエリアである浴室に設置された排気送風機を停止させたとき、給気についてはここを経由して行われる浴室に隣接する他のエリアである洗面所に設置された排気送風機の排気量を増加させ、住居全体としての総排気量を確保するように排気送風機を制御する制御装置を具備する。
【００１０】
冬季、入浴にあたり浴室を暖房するために浴室に設置された暖房装置を作動させ、かつ暖房効果を上げるべく浴室の排気送風機を停止させたとき、給気について浴室の上流側となる隣接した洗面所の排気送風機の排気量を制御装置によって増加させるため、住居全体の総排気量が確保され、換気流の流れも乱れず円滑な換気が行われる。
【００１１】
実施の形態１．
図１は本発明の換気システムを適用した戸建の高気密の換気機能付きモデル住居の構成を示す断面図であり、図２は同じくその一階部分の平面図である。また、図３は換気システムの制御装置の構成図、図４は制御装置の制御動作を示すフローチャートである。このモデル住居は、図１に示すように二階建で、一階の間取りは図２に示すとおりであり、一，二階とも複数のエリアに仕切られている。ここで言うエリアとは、寝室１、子供部屋２、ＬＤＫ３、浴室４、洗面所５、トイレ６などの他、廊下７や階段部分８も含む仕切られた空間を指すものである。一階にはＬＤＫ３（狭義に台所と称すこともある）と浴室４と洗面所５とトイレ６及び居室９並びに廊下７や階段部分８の各エリアがある。また、二階の間取りは、子供部屋２と書斎１０と寝室１の各エリアがある。
【００１２】
ＬＤＫ３と浴室４と洗面所５とトイレ６は、住居において空気が汚れやすいところで、これらを総称してダーティゾーンとも称す。また、居室９、寝室１、書斎１０、子供部屋２等は、それ程空気が汚れることのないところであり、これらを総称してクリーンゾーンとも称す。
【００１３】
クリーンゾーンの各部屋にはそれぞれ個別に外気を取り込むための給気送風機１１が設けられている。ただし、ＬＤＫ３はクリーンゾーンではないものの、そのＬＤ部分はクリーンゾーンに類する空間でもあるので、クリーンゾーンの各部屋と同様に外気を取り込むための給気送風機１１がＬＤ部分に設けられている。給気送風機１１は、停止時にも自然給気が可能なシャッタのないものが良い。一方、ダーティゾーンの各部屋にはそれぞれ個別に屋外へ住居内の空気を排気する排気送風機１２が設けられている。住居の各部屋はいずれも個々の出入口のドア又はこれに類する部分に通気開口部が設けられ、通気開口部と廊下７及び階段部分８により全ての部屋は相互に連通している。
【００１４】
即ち、この住居の全てのゾーンはそれぞれ給気及び排気による換気を可能に構成され、これ以外の箇所からの住居に対する給排気は実質的には無いものとなっている。ダーティゾーンの各部屋は、排気を強制的に行うように設定され、そのために設けられた各排気送風機１２は、風量可変でＬＤＫ３の排気送風機１２Ａ以外はいずれもその能力も同じものである。ＬＤＫ３の排気送風機１２Ａは炊事に伴う油煙等をすみやかに排出する必要から特に大風量のものが設けられている。
【００１５】
浴室４の天井には、循環用送風機と加熱ヒータとを備えた暖房装置１３が設置され、浴室４に隣接する洗面所５等に設置された制御装置１４によってその運転が制御される。制御装置１４は、ＬＤＫ３を除くダーティゾーンの各部屋の排気送風機１２の運転も制御する。制御装置１４には、総排気量を設定する設定スイッチと暖房装置１３の運転／停止を設定するスイッチ等を備えたリモコン１５が接続され、設定内容がリモコンの表示部１６に表示される。
【００１６】
ＬＤＫ３の排気送風機１２Ａを除く他の排気送風機１２及び暖房装置１３は、制御装置１４により運転が制御され、リモコン１５で設定された総排気量を確保する住居の常時換気が行われる。リモコン１５で乾燥運転が指示されると、制御装置１４は、浴室４の排気送風機１２の風量を上げ、暖房装置１３を運転させる。これにより、浴室４は、乾燥雰囲気になり、衣類等の乾燥室に供することができる。この場合、他の排気送風機１２は、設定された総排気量Ｑ０を実現すべく初期設定排気量Ｑ１で運転させている。
【００１７】
暖房運転が指示されたとき、制御装置１４は、その場合の制御動作を特化して示す図４のフローチャートに従って制御する。まず、ステップ♯１で、設定された総排気量Ｑ０の読込みを行い、ステップ♯２へ進む。ステップ♯２では、全排気送風機１２を初期設定排気量Ｑ１で運転する処理を行う。ここで排気送風機１２の数ｎ×Ｑ１は、Ｑ０である。ステップ♯３では暖房運転の要求があるか否かが判定される。暖房運転の要求が有れば、暖房装置１３を運転し、ステップ♯４へ進み、なければステップ♯２の処理に戻る。ステップ♯４では、浴室４の排気送風機１２を停止させ、隣室である洗面所５の排気送風機１２の風量を増加させる処理を行い、ステップ♯５へ進む。ここで風量の増加分は、浴室４の停止した排気送風機１２の初期設定排気量であるＱ１である。ステップ♯５では暖房運転停止の要求があるか否かが判定される。停止の要求がなければステップ♯４の処理に戻り、停止の要求があれば、暖房装置１３を停止させて、ステップ♯６へ進む。ステップ♯６では、浴室４の排気送風機１２は停止させたまま、洗面所５の排気送風機１２を初期設定排気量Ｑ１で運転させ、内蔵のタイマーのカウントを開始し、ステップ♯７へ進む。ステップ♯７では、タイマーが設定時間Ｔを経過したかどうかを判定する。設定時間Ｔを経過したならステップ♯８へ進み、経過していなければステップ♯６の処理に戻る。ステップ♯８では、浴室４の排気送風機１２を初期設定排気量Ｑ１で運転させる処理をして終了する。タイマーの設定時間Ｔは、任意に設定することができるが、概ね人が入浴に要する時間３０分〜４０分程度である。
【００１８】
これにより、浴室暖房時に住居全体として、排気量過少状態になることがなく、快適な換気雰囲気を維持することができる。浴室４を予備暖房した後、入浴することになるが、タイマーの設定時間Ｔの間は、浴室４の排気送風機１２は停止しているので、入浴者に肌寒さを感じさせるようなこともない。総排気量Ｑ０より少ない排気量になるのは、この設定時間Ｔの間だけであり、長時間にわたるわけではないので事実上、問題はない。浴室４の暖房中でも浴室４の換気は、隣接する洗面所５の排気送風機１２により消極的ではあるが図られるため、浴室４の換気雰囲気も悪化することはない。また、住居全体の風量調整を特定のエリアの排気量の調整によって行うため、換気システムの制御系は簡易なものとなる。
【００１９】
排気量を調整する排気送風機１２を洗面所５以外の廊下７や階段部分８に設置し、生活の中で長時間留まることのないエリアから排気するようにすれば、排気量の増加に伴う空気の流れによる不快感を与えることは少ない。また、洗面所５の排気送風機１２も、浴室４の排気送風機１２と連動して、停止するようにしてもよい。この場合、排気量を調整する排気送風機１２は、トイレ６又は廊下７に設置するものにすればよい。
【図面の簡単な説明】
【００２０】
【図１】換気機能付き住居の断面図である。（実施の形態１）
【図２】換気機能付き住居の一階部分の平面図である。（実施の形態１）
【図３】制御装置のブロック構成図である。（実施の形態１）
【図４】制御装置の制御動作を示すフローチャートである。（実施の形態１）
【符号の説明】
【００２１】
４  浴室、  ５  洗面所、  １１  給気送風機、  １２  排気送風機、  １３  暖房装置、  １４  制御装置。
【図１】
2005164183.tif 000003
【図２】
2005164183.tif 000004
【図３】
2005164183.tif 000005
【図４】
2005164183.tif 000006